(57)【要約】      （修正有）【課題】絵本や紙芝居をお風呂場で使用可能にする。【解決手段】防水紙芝居型絵本は、絵本に防水ラミネート加工し、プラスチック素材で出来た、透明プラスチックケース１を使用することにより、お風呂場でも絵本を読むことが可能になるよう構成した。ラミネート加工された防水紙芝居型絵本４にページが表記された取っ手５をつけることにより、小さな子どもでも容易に絵本のページを替えることができ、また、吸盤６を使用することにより、お風呂場の壁面および風呂釜の縁に防水紙芝居絵本を付着し固定して利用することが出来るよう構成されたものである。防水紙芝居型絵本の両面に物語の文章を記載することによって、物語を読む人、読んでもらう人双方が活字の勉強をすることを可能にする。また、防水紙芝居型絵本を収納するための、透明の収納プラスチックケースを利用することにより、お風呂場以外での学習も可能にする。【選択図】図１
2005297520.tif 000002
【特許請求の範囲】
【請求項１】
防水紙芝居型絵本をお風呂場で使用できるように、防水用のラミネート加工を施し、防水紙芝居型絵本を取り出しやすくするために取っ手を固着して透明のプラスチックケースに防水紙芝居型絵本を装着して構成したことを特徴とする防水紙芝居型絵本。
【請求項２】
前記防水紙芝居型絵本を透明のプラスチックケースに装着させるために透明のプラスチックケースの形状は箱状になっており、透明のプラスチックケースの表面は防水紙芝居型絵本がお風呂の湯気で曇らないように、長方形の形にくり抜き、防水紙芝居型絵本を透明のプラスチックケースに装着しやすいように、箱状の右端は防水紙芝居型絵本を挿入する入り口があり、お風呂場の壁面や風呂釜の縁に付着可能な吸盤を透明のプラスチックケースの後面や底部に装着して構成したことを特徴とする請求項１に記載の防水紙芝居型絵本。
【請求項３】
前記請求項１の防水紙芝居型絵本は請求項２に記載の透明プラスチックケース無しでもお風呂場で利用できるように、ラミネート加工された防水紙芝居型絵本の上部に穴を空け取り付け取り外し可能なプラスチックリングを装着し、お風呂場の壁面に付着可能なフック型の吸盤を取り付け、フック型の吸盤に防水紙芝居型絵本を装着させるように構成したことを特徴とする請求項１に記載の防水紙芝居型絵本。
【請求項４】
前記請求項１の防水紙芝居型絵本は、従来の紙芝居と絵本両方の特性を活かした、新しいかたちの防水紙芝居型絵本で、表面に挿絵と物語の内容文章を記載し、裏面に物語の内容文章を記載して構成したことを特徴とする請求項１に記載の防水紙芝居型絵本。
【請求項５】
前記請求項１の防水紙芝居型絵本を使用後収納するための入れ物の形状は、箱状になった透明の収納用プラスチックケースを使用する。透明の収納用プラスチックケースの右端入り口は開閉可能になっており、右端入り口から防水紙芝居型絵本を収納する。この収納用透明プラスチックケースの透明な素材の特徴を利用して、前記請求項１の防水紙芝居型絵本をお風呂場以外のどのような場所でも使用することができることを特徴とする請求項１に記載の防水紙芝居型絵本。
【発明の詳細な説明】
【技術分野】
【０００１】  この発明はお風呂場とお部屋の両方で絵本を楽しめるように防水加工を施したものに関する。
【背景技術】
【０００２】  従来の絵本はお風呂場で利用することができない。また、紙製であるために、お風呂場で読むと水で濡れてしまい、絵本を読むことが困難になる。従来の紙芝居を入れる為の収納ケースはプラスチック製の透明の素材で作られたものがない。従来の絵本や紙芝居では、紙芝居と絵本両方の特性を活かして作成されたものがない。従来の絵本や紙芝居は、お風呂場とお部屋の両方で利用することができない。
【発明の開示】
【発明が解決しようとする課題】
【０００３】  しかしながら、以上の技術によれば、お風呂場で絵本を楽しむことを可能にする。また、お風呂場だけではなく、透明の収納用プラスチックケースを利用することによりお風呂場以外の部屋でも紙芝居を楽しむことができる。そこでこの発明は親子のお風呂場でのコミュニケーションの幅を広げ、またお風呂嫌いの子供でも、楽しい入浴を可能にすることができる。また、防水紙芝居型絵本の両面に物語の内容文章が記載された新しい形のこの防水紙芝居型絵本は、防水紙芝居型絵本を読む人、防水紙芝居型絵本を読んでもらう人双方が活字や言葉などを目にすることができ、学ぶことが可能となる。そして、教育という面においても楽しく学ぶことができ、子供の活字離れを防ぐことができる。
そこで、この発明は、防水紙芝居型絵本のお風呂場と部屋の両方での使用を提供することを課題とする。
【課題を解決するための手段】
【０００４】  以上の課題を解決するために、第一発明は、絵本をお風呂場で使用できるように、防水用のラミネート加工を施したことを特徴とする防水紙芝居型絵本である。また、第二発明は、防水紙芝居型絵本を透明プラスチックケースから取り出しやすくするために防水紙芝居型絵本に取っ手を固着したことを特徴とする防水紙芝居型絵本である。第三発明は、透明プラスチックケースに吸盤を装着することにより透明プラスチックケースを容易にお風呂場の壁面または風呂釜の縁に付着し固定することができることを特徴とする防水紙芝居型絵本である。第四発明は、透明プラスチックケース無しでもお風呂場で防水紙芝居型絵本を楽しめるように、ラミネート加工された防水紙芝居型絵本の上部に穴を空け、取り付け取り外し可能なプラスチックリングとフック型吸盤を使用することによってお風呂場の壁面に防水紙芝居型絵本を付着し固定して利用することができる。第五発明では、防水紙芝居型絵本の両面に物語の文章を記載することにより、防水紙芝居型絵本を読む人、読んでもらう人双方に活字や言葉の勉強をしてもらうことが可能になる。第六発明では、透明の収納用プラスチックケースを使用することにより、お風呂場以外の部屋でも防水紙芝居型絵本を楽しむことができるよう構成したことを特徴とする防水紙芝居型絵本である。
【発明の効果】
【０００５】  第一発明、第二発明、第三発明、第四発明、第五発明、第六発明によれば、教育という面において、子供の活字離れなどを防ぐことができ、お風呂場で防水紙芝居型絵本が使用できるため、親子のスキンシップの時間を増やすことができる。お風呂嫌いの子供の入浴を楽しくすることができる。絵本を読む機会が増えることによって、子供の活字離れを少なくし、子供の文書理解能力を身に付けることができ、感受性を豊かに育むことができる。防水紙芝居型絵本の両面に物語りの文章が記載されていることにより、防水紙芝居型絵本を読む人、読んでもらう人双方が活字や言葉を学ぶことができる。透明の収納用プラスチックケースを使用することによってお風呂場のみならず、様々なところで防水紙芝居型絵本をたのしむことができる。
【発明を実施するための最良の形態】
【０００６】  この発明の一実施形態を、図１に示す。
本発明の防水紙芝居型絵本４は、透明プラスチックケース１の後面または、底部にある吸盤取り付け穴７に吸盤６を装着し、お風呂場の壁面または風呂釜の縁に付着させることにより、透明のプラスチックケース１を固定させることを可能とする。ラミネート加工した防水紙芝居型絵本４を透明なプラスチックケース１の入り口３から挿入し、くりぬき窓部２で防水紙芝居型絵本を読んだり、見たりすることができる。読み終えるたびに、ページを変えるための取っ手具５を利用してページを変えることができる。取っ手具５にはページ番号が表示されているので子供でもわかりやすく防水紙芝居型絵本４を入れ替えることが可能となる。また、防水紙芝居型絵本４のみで使用することができるように、防水紙芝居型絵本４の上部に取り付け取り外し可能なプラスチックリング８を装着する為の穴部９を空け、取り付け取り外し可能なプラスチックリング８を穴部９に装着し、フック型吸盤１０を利用しお風呂場の壁面に防水紙芝居型絵本４を付着し固定することも可能となる。防水紙芝居型絵本４の収納ケースは、透明の収納用プラスチックケース１１を使用する。透明の収納用プラスチックケース１１の右端に入り口１２がある。防水紙芝居型絵本の表面１３は挿絵と物語の文章が記載されており、防水紙芝居型絵本の裏面１４は物語の文章が記載されている。【０００７】「実施形態の効果」
この実施形態によれば、防水ラミネート加工されている防水紙芝居型絵本４が水に濡れないこと、防水紙芝居型絵本４を装着するための透明プラスチックケース１も材質がプラスチックなので水にぬれないこと。吸盤６の効果によって、透明プラスチックケース１と防水紙芝居型絵本４をお風呂場の壁面または風呂釜の縁に付着し固定させることができる。くりぬき窓部２によって、お風呂の水蒸気による曇りの問題を解決することができる。ページ表記がされている取っ手具５によって、防水紙芝居型絵本のページを簡単に変えることができる。防水紙芝居型絵本４の上部に取り付け取り外し可能なプラスチックリング８装着する為の穴部９があることにより、透明プラスチックケース１無しでもお風呂場で防水紙芝居型絵本４を利用することができる。また、透明な収納用プラスチックケース１１を使用することにより、お風呂場以外で防水紙芝居型絵本４を利用することができる。防水紙芝居型絵本４の表面１３に挿絵と内容文章が記載され、防水紙芝居型絵本４の裏面１４に物語の内容文章が記載されていることにより、防水紙芝居型絵本４を読む人も読んでもらう人も双方が、活字や文章の勉強ができる。【０００８】「他の実施形態」
図１の実施形態では、防水紙芝居型絵本による豊かな感受性を育むための読書学習ですが、内容を変えることにより、数字の勉強や、英語の勉強などを楽しむこともできる。また、防水紙芝居型絵本の上部にあるプラスチックリングを装着するための穴や、穴に装着したプラスチックリングを工夫利用することにより、フック型吸盤以外の器具を利用してお風呂場以外の様々な部屋の壁面などで利用することもできる。また、お風呂場で使用する透明プラスチックケースは、吸盤が取り付け可能な場所であれば、吸盤の特性を活かしお風呂場以外のどこでも利用することが可能となる。
【図面の簡単な説明】
【０００９】
【図１】お風呂場の壁面および風呂釜の縁に防水紙芝居型絵本を付着し固定させるための透明プラスチックケースの表面斜視図、フック型吸盤の横面図、ラミネート加工された防水紙芝居形式絵本４の図、透明の収納用プラスチックケースの斜視図、ラミネート加工された防水紙芝居型絵本４の表面図、ラミネート加工された防水紙芝居型絵本４の裏面図である。
【図２】お風呂場の壁面および風呂釜の縁に防水紙芝居型絵本を付着し固定させるための透明プラスチックケースの裏面斜視図である。
【図３】お風呂場の壁面および風呂釜の縁に防水紙芝居型絵本を付着し固定させるための透明プラスチックケースの底部斜視図である。
【図４】お風呂場の壁面および風呂釜の縁に防水紙芝居型絵本を付着し固定させるための透明プラスチックケースの横面図である。
【図５】防水ラミネート加工された防水紙芝居型絵本の表面図と裏面図である。
【符号の説明】
【００１０】１  透明プラスチックケース        ２くりぬき窓部
３入り口                          ４ラミネート加工された防水紙芝居型絵本
５ページ表記された取っ手部        ６吸盤
７吸盤取り付け穴                  ８取り付け取り外し可能なプラスチックリング
９プラスチックリング取り付け穴部  １０フック型吸盤
１１透明の収納用プラスチックケース            １２入り口
１３ラミネート加工された防水紙芝居型絵本の表面図
１４ラミネート加工された防水紙芝居型絵本の裏面図
【図１】
2005297520.tif 000003
【図２】
2005297520.tif 000004
【図３】
2005297520.tif 000005
【図４】
2005297520.tif 000006
【図５】
2005297520.tif 000007